【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
写真シール作成ゲームとして、利用者に、前記利用者を被写体とする撮影作業、および、前記撮影作業により得られた前記利用者の画像に対して編集情報を入力する編集入力作業を行わせ、さらに、前記写真シール作成ゲームにおいて、前記利用者を撮影し、得られた前記利用者の画像を前記利用者により入力された編集入力に基づいて編集し、得られた編集済みの前記利用者の画像を所定のシールシートに印刷し、編集済みの前記利用者の画像が印刷された前記シールシートを排出し、写真シールとして前記利用者に提供する写真シール作成装置であって、
前記利用者を含む画像を取り込み、所定のタイミングにおいて取り込んだ前記利用者を含む画像を、撮影画像として保存する撮影手段と、
前記撮影手段により取り込まれた前記利用者を含む画像を、前記撮影手段により予め取り込まれ保存された撮影画像、または、予め用意された所定の画像と並べて表示する画像表示手段と
を備えることを特徴とする写真シール作成装置。
【請求項２】
前記利用者を含む画像を、前記撮影手段により予め取り込まれ保存された撮影画像、または、予め用意された所定の画像に連結する連結手段をさらに備える
ことを特徴とする請求項１に記載の写真シール作成装置。
【請求項３】
印刷において、前記連結手段により互いに連結されている画像および入力された落書き編集をその連結に応じて配置する配置手段をさらに備える
ことを特徴とする請求項２に記載の写真シール作成装置。
【請求項４】
前記連結手段により互いに連結されている画像のそれぞれを選択する選択手段をさらに備える
ことを特徴とする請求項２または請求項３に記載の写真シール作成装置。
【請求項５】
前記画像表示手段は、前記撮影手段近傍に設けられ、
前記画像表示手段は、前記撮影作業を行う利用者に、前記撮影手段により予め取り込まれ保存された撮影画像、または、予め用意された所定の画像とともに表示される前記利用者を含む画像を確認させるように、前記画像を、前記撮影手段により予め取り込まれ保存された撮影画像、または、予め用意された所定の画像と並べて表示する
ことを特徴とする請求項１に記載の写真シール作成装置。
【請求項６】
写真シール作成ゲームとして、利用者に、前記利用者を被写体とする撮影作業、および、前記撮影作業により得られた前記利用者の画像に対して編集情報を入力する編集入力作業を行わせ、さらに、前記写真シール作成ゲームにおいて、前記利用者を撮影し、得られた前記利用者の画像を前記利用者により入力された編集入力に基づいて編集し、得られた編集済みの前記利用者の画像を所定のシールシートに印刷し、編集済みの前記利用者の画像が印刷された前記シールシートを排出し、写真シールとして前記利用者に提供する写真シール作成方法であって、
前記利用者を含む画像を取り込み、所定のタイミングにおいて取り込んだ前記利用者を含む画像を、撮影画像として保存する撮影ステップと、
前記撮影ステップにより取り込まれた前記利用者を含む画像を、前記撮影ステップにより予め取り込まれ保存された撮影画像、または、予め用意された所定の画像と並べて表示する画像表示ステップと
を備えることを特徴とする写真シール作成方法。
【請求項７】
写真シール作成ゲームとして、利用者に、前記利用者を被写体とする撮影作業、および、前記撮影作業により得られた前記利用者の画像に対して編集情報を入力する編集入力作業を行わせ、さらに、前記写真シール作成ゲームにおいて、前記利用者を撮影し、得られた前記利用者の画像を前記利用者により入力された編集入力に基づいて編集し、得られた編集済みの前記利用者の画像を所定のシールシートに印刷し、編集済みの前記利用者の画像が印刷された前記シールシートを排出し、写真シールとして前記利用者に提供する処理をコンピュータに行わせるプログラムにおいて、
前記利用者を含む画像を取り込み、所定のタイミングにおいて取り込んだ前記利用者を含む画像を、撮影画像として保存する撮影ステップと、
前記撮影ステップにより取り込まれた前記利用者を含む画像を、前記撮影ステップにより予め取り込まれ保存された撮影画像、または、予め用意された所定の画像と並べて表示する画像表示ステップと
を含むことを特徴とするプログラム。
【手続補正２】
【補正対象書類名】明細書
【補正対象項目名】００１２
【補正方法】変更
【補正の内容】
【００１２】
本発明の写真シール作成装置は、利用者を被写体とする撮影作業、および、撮影作業により得られた利用者の画像に対して編集情報を入力する編集入力作業を行わせ、さらに、写真シール作成ゲームにおいて、利用者を撮影し、得られた利用者の画像を利用者により入力された編集入力に基づいて編集し、得られた編集済みの利用者の画像を所定のシールシートに印刷し、編集済みの利用者の画像が印刷されたシールシートを排出し、写真シールとして利用者に提供する写真シール作成装置において、利用者を含む画像を取り込み、所定のタイミングにおいて取り込んだ利用者を含む画像を、撮影画像として保存する撮影手段と、撮影手段により取り込まれた利用者を含む画像を、撮影手段により予め取り込まれ保存された撮影画像、または、予め用意された所定の画像と並べて表示する画像表示手段とを備えることを特徴とする。
【手続補正３】
【補正対象書類名】明細書
【補正対象項目名】００１４
【補正方法】変更
【補正の内容】
【００１４】
本発明の写真シール作成装置においては、利用者を含む画像が取り込まれ、所定のタイミングにおいて取り込んだ利用者を含む画像が、撮影画像として保存され、保存され取り込まれた利用者を含む画像が、予め取り込まれ保存された撮影画像、または、予め用意された所定の画像と並べて表示される。
【手続補正４】
【補正対象書類名】明細書
【補正対象項目名】００１５
【補正方法】変更
【補正の内容】
【００１５】
したがって、複数の人数で写真シール作成装置を使用した場合、撮影された画像を保存し、並べて表示することができるので、より多くの利用者で楽しむことができるサービスを提供することができる。
また、画像を隣りあわせで見ることにより、利用者は、今回取りこまれた画像と予め取り込まれ保存された撮影画像を簡単に比較することができ、利用者同士で意外性のある写真シールを作成することも可能である。
さらに、撮影手段の前に存在しない画像を隣あわせで見ることにより、「遊び」重視のユーザにも、満足度の高い写真シールを提供することができる。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
前記利用者を含む画像を、撮影手段により予め取り込まれ保存された撮影画像、または、予め用意された所定の画像に連結する連結手段をさらに備えることができる。
したがって、例えば各画像において利用者の撮影姿勢が互いに関係している複数の撮影画像のように、撮影処理において得られた複数の撮影画像の内容が互いに関係する場合、それらの撮影画像の関係を、後段の編集処理や印刷処理において利用することができる。例えば、それらの撮影画像が、各撮影姿勢の関係が利用者の意図どおりなるようなレイアウトで編集画面に配置されたり、シール紙に印刷されたりするようにすることができる。
印刷において、連結手段により互いに連結されている画像および入力された落書き編集をその連結に応じて配置する配置手段をさらに備えることができる。
したがって、利用者は、気に入った配置の写真シールを作成することができるので、ユーザの満足度が向上する。
連結手段により互いに連結されている画像のそれぞれを選択する選択手段をさらに備えることができる。
したがって、利用者は、一度撮影された連結画像の中から、気に入った画像を選択することができる。例えば、連結された画像は、再度連結し直されることができる。
画像表示手段は、撮影手段近傍に設けられ、画像表示手段は、撮影作業を行う利用者に、撮影手段により予め取り込まれ保存された撮影画像、または、予め用意された所定の画像とともに表示される利用者を含む画像を確認させるように、画像を、撮影手段により予め取り込まれ保存された撮影画像、または、予め用意された所定の画像と並べて表示することができる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】変更
【補正の内容】
【００３３】
本発明の写真シール作成方法は、写真シール作成ゲームとして、利用者に、利用者を被写体とする撮影作業、および、撮影作業により得られた利用者の画像に対して編集情報を入力する編集入力作業を行わせ、さらに、写真シール作成ゲームにおいて、利用者を撮影し、得られた利用者の画像を利用者により入力された編集入力に基づいて編集し、得られた編集済みの利用者の画像を所定のシールシートに印刷し、編集済みの利用者の画像が印刷されたシールシートを排出し、写真シールとして利用者に提供する写真シール作成方法であって、利用者を含む画像を取り込み、所定のタイミングにおいて取り込んだ利用者を含む画像を、撮影画像として保存する撮影ステップと、撮影ステップにより取り込まれた利用者を含む画像を、撮影ステップにより予め取り込まれ保存された撮影画像、または、予め用意された所定の画像と並べて表示する画像表示ステップとを備えることを特徴とする。
【手続補正２２】
【補正対象書類名】明細書
【補正対象項目名】００３４
【補正方法】変更
【補正の内容】
【００３４】
写真シール作成方法において、利用者を含む画像を取り込み、所定のタイミングにおいて取り込んだ利用者を含む画像が、撮影画像として保存され、保存され取り込まれた利用者を含む画像が、予め取り込まれ保存された撮影画像、または、予め用意された所定の画像と並べて表示される。